Podtech/llm-jp-corpus-v4-ja_patent huggingface dataset:
(57)【要約】【技術課題】照明光が反射して眩しくないステンレス製の外装板で覆われた食品の自動充填包装機を提供する。【解決手段】ステンレス製の外装板３の表面にサンドブラスト加工層４を形成する。このことにより、工場内の照明光がサンドブラスト加工層４の作用で反射せず、眩しさが抑えられ、作業環境が改善される。【選択図】図１
2017222410.tif 000002
【特許請求の範囲】
【請求項１】
外板に光沢のあるステンレス板が取り付けられた食品の自動充填包装機において、前記ステンレス板の表面にサンドブラスト加工層が形成されていること、を特徴とする食品の自動充填包装機。
【請求項２】
前記サンドブラスト加工層は、照明光が反射する部位に形成されていること、を特徴とする請求項１に記載の食品の自動充填包装機。
【発明の詳細な説明】
【技術分野】
【０００１】
本発明は、加工済みの食品を袋内に自動的に充填して包装するための自動充填包装機に関する。
【背景技術】
【０００２】
食品の加工工場内は、衛生管理が最重要課題のひとつとされていることから、工場内で使用される機械類は、常時衛生を保つために清掃を欠かすことがないと共に外観的にも衛生的な印象を維持したり、万一汚れた時には直ぐに発見できるように、機械の外板には光沢のあるステンレス製の板が多用され、更にピカピカに磨き上げられている。
【０００３】
但し、このピカピカに磨き上げられた状態の機械は、工場内では照明光がそのまま反射するため、個人差はあるものの、眩しく、目の健康に悪いことから、人によってはサングラスをかけて作業に携わる例もある。
しかし、サングラスの使用には違和感を感じる人も多い。
【０００４】
そこで、ステンレス製の外板の反射を抑えるために、工場内の照明を間接照明に変えたりしているが、間接照明にしたりすると光量が十分に得られない場合も存在し、間接照明で十分に光量を得ることができるようにすると電力の使用量が増大し、コストがかかる。
【発明の開示】
【発明が解決しようとする課題】
【０００５】
本発明の目的は、ステンレス製の外板を用いた食品の自動充填包装機において、照明光の反射を抑えて作業がしやすい環境に改善できる食品の自動充填包装機を提供することである。
【０００６】
上記目的を達成するため、外板にステンレス板を用いた自動充填包装機において、この外板の表面全体又はその一部であって、照明光を反射する部位の外板の一部にサンドブラスト装置を用いてサンドブラスト加工層を形成した点に特徴がある。
【０００７】
このように、光沢があり、照明光を反射するステンレス製の外板にサンドブラスト加工層を形成することにより、照明光は外板で反射しないため、作業中に眩しさが無くなり、目の健康に良く、作業環境が改善される。
【０００８】
なお、サンドブラスト加工層は、外板を機械に取り付ける前に行うのが原則である。
【０００９】
また、外板と共に外に露出する部品の外装であって、ステンレス板が使用されている物品に対しても可能な限りサンドブラスト加工層を形成しても良い。
【００１０】
一方、機械において、照明光を直接受けない場所の外板には必ずしもサンドブラスト加工層を形成しなくてもよい。
【課題を解決するための手段】
【００１１】
上記目的を達成するため、請求項１に記載の発明は、食品の自動充填包装機において、外板に光沢のあるステンレス板が取り付けられた食品の自動充填包装機であって、前記ステンレス板の表面にサンドブラスト加工層を形成したことを特徴とするものである。
【００１２】
又、請求項２に記載の発明は、請求項１に記載の食品の自動充填包装機において、前記サンドブラスト加工層は、照明光が反射する部位に形成されていることを特徴とするものである。
【発明の効果】
【００１３】
本発明は以上のとおり、食品の自動充填包装機において、その取り付けられているステンレス製の外板の全部又は一部の表面にサンドブラスト加工層が形成されているため、工場内の照明光が外板で反射しない。
【００１４】
この結果、従来のように反射して眩しいと云った欠点がなくなり、作業環境の改善に大きく寄与できる。
【００１５】
特に眩しさと云った問題は、個人差もあることから、目の弱い人には有効であり、労務対策上からも必要不可欠である。
【図面の簡単な説明】
【００１６】
【図１】本発明を実施した食品の自動充填包装機を正面側から見た斜視図
【図２】本発明を実施した食品の自動充填包装機を裏面側から見た斜視図
【実施例１】
【００１７】
本発明の対象となる食品の自動充填包装機において、機体の外装の一部又は全部が光沢のあるステンレス板で覆われている。
【００１８】
サンドブラスト加工層は、外装板を機体に取り付けてからでは作業に支障が多いので、外装板を機体に取り付ける前の状態で行う。
【００１９】
図１、２において、符号の１は、食品（本実施例では「からし酢みそ」）を自動充填包装するための機械であって、この機体２において、外装板３の表面にはサンドブラスト加工層４が施されている。
【００２０】
図中符号の２ａは機台、５は制御ボックス、６は包装用フィルムの供給ガイドローラ、７は前扉、８は前扉の内面、９は原反カバーガラス、１０はロールユニット、１１はシリンダーストローク調整ダイアル、１２はタッチパネルである。
【００２１】
本発明は以上のとおり、食品の自動充填包装機１において、その外装板３の表面にサンドブラスト加工層４が施されているため、工場内において照明光は殆んど反射せず、よって作業環境が改善される。
【符号の説明】
【００２２】
１  からし酢みそ自動充填包装機
２  機体
２ａ  機台
３  ステンレス製の外装板
４  サンドブラスト加工層
５  制御ボックス
６  ガイドローラ
７  前扉
８  内面
９  原反カバーガラス
１０  ロールユニット
１１  シリンダーストローク調整ダイアル
１２  タッチパネル
【図１】
2017222410.tif 000003
【図２】
2017222410.tif 000004
(57)【要約】【課題】  石鹸は毎日、老若男女を問わず皮膚の弱い幼児にいたるまで、ほとんどの人々が使用しているものであり、品質を向上させ、かつ、安全で安心して使用できる石鹸をつくることにある。【解決手段】  植物性活性炭素繊維粉は大きな吸着力があり、汚れや老廃物を吸着し洗い流す効果があり、水に溶けないことから生炭粉のようにどろどろになったりせず、形状を維持するためピーリング効果がある。また、抗菌効果、マイナスイオン効果、遠赤外線効果等がある。この植物性活性炭素繊維粉を原料に加えることにより、石鹸の洗浄能力を高めるとともに、抗菌効果による衛生面の向上やピーリング効果による美肌効果が生まれる。【特許請求の範囲】
【請求項１】
原料に植物性活性炭素繊維粉を加えた石鹸。
【発明の詳細な説明】
【発明の詳細な説明】
【技術分野】
【０００１】  植物性活性炭素繊維は、植物性繊維を炭化し、さらに薬品処理又は１２００℃以上の高熱の水蒸気で活性炭化処理したものである。
上質のものは、繊維の長い綿花を炭化し、高熱の水蒸気で活性炭化したもので、繊維が六角形の管状になっており、比表面積が１グラムで千〜二千平方メートルになる。
成分は９２％以上が炭素であり、比表面積が大きいことから吸着力に優れ、一般的なものは濾過材、脱臭剤等に使用され、高品質なものは医療品や医薬品としても使用されている。
成分の９２％以上が炭素（Ｃ６Ｈ１０Ｏ５）であることから、微細な粉末状に加工しても品質に変化がなく、他の物質と結合して変質することがなく、水に溶けない。
この植物性活性炭素繊維粉を石鹸の原料に加えることにより、汚れや老廃物等を吸着して洗い流す効果が加わり、かつ、ピーリング効果も発生する。
【背景技術】
【０００２】  石鹸の製造方法は、油脂鹸化法、脂肪酸中和法、エステル鹸化法などがあるが、代表的な例として油脂鹸化法を上げると水酸化ナトリウムに油脂と水を加えて製造する。
この油脂の組み合わせや香料等の添加物を加えることで種々の石鹸が製造されている。
【発明が解決しようとする課題】
【０００３】  現在販売されている石鹸類は、石鹸の効能を高めるためにいろいろな工夫が試みられ、原料においても弊害があるものが加えられ社会的な問題になってるケースがある。
石鹸は毎日、老若男女を問わず皮膚の弱い幼児にいたるまで、ほとんどの人々が使用しているものであり、安全でかつ、優れた石鹸をつくることを目的に、植物性活性炭素繊維粉を加えることにより課題を解決する。
【課題を解決する手段】
【０００４】  植物性活性炭素繊維を、１５０メッシュ以上の微粉末にして従来の石鹸の原料に加える。植物性活性炭素繊維粉は、ｐｈ５−７であるから、加える量により苛性ソーダや他の原料の量を調整するとともに、植物性活性炭素繊維粉の量も全体のバランスを崩さない適量を加える。これは固形石鹸のみでなく、液体石鹸でも同様である。
【発明実施の形態】
【０００５】  製造工程については、油脂に水酸化ナトリウムを加えて攪拌するときに植物性活性炭素繊維粉を加える。製品の形状、販売等については、固形石鹸及び液体石鹸においても、この発明に基づくことなく、現在商品化されて販売されている石鹸と類似である。
【発明の効果】
【０００６】  植物性活性炭素繊維粉は、前記（発明の属する技術分野）に記載したとおり、大きな吸着力があり、これを加えることにより汚れや老廃物を吸着し洗い流す効果がある。
また、水に溶けないことから生炭粉のようにどろどろになったりせず、形状を維持するためピーリング効果がある。また、抗菌効果、マイナスイオン効果、遠赤外線効果等がある。この植物性活性炭素繊維粉を原料に加えることにより、石鹸の洗浄能力を高めるとともに、抗菌効果による衛生面の向上やピーリング効果による美肌効果が生まれる。
(57)【要約】【課題】花壇や家庭菜園などの草取り作業での草取り器具では時間がかかり、草の茎下から根の部分を取りきれない事や、従来の草取り器具では刃先が変形し使用出来なる事があるので、これらの問題を解決するために、刃を交換出来る地中で根を引く草刈器具を提供する。【解決手段】従来の草取り器具の形状を変更し、草取り器具のフレーム（１）の先端部に刃物取り付け用の溝（２）を設けて、専用の刃物（３）を設けた事を特徴とする草取り器具。またこの草取り器具に関連して必要な器具を先端部の三方向（上左右）に必要な草取り器具を２種類と熊手を設ける。【選択図】図１
2017038585.tif 000002
【特許請求の範囲】
【請求項１】
地中で草の根を引くために、草取り器具の形状を変更し、器具のメインフレーム（１）の先端部に刃物取り付け用の溝（２）を設け、専用の刃物（３）を設けて、柄の先端部にこの草取り器具を含めて四方向（上下左右）に草取り器具を三種類と熊手を設けた事を特徴とする草取り器具。
【発明の詳細な説明】
【技術分野】
【０００１】本発明は花壇や家庭菜園での草取り作業が効率よく出来るように、一定の面積の雑草を早く取り除けるように、草取り器具の形状を変更し、草取り器具に専用の刃物を設けて地中で草の根を引っ張り地中の土と草の根付近の土を分離し、雑草だけを短時間で取り除ける草取り器具で、地中で根を引く草取り器具に関するものである。
【背景技術】
【０００２】  従来の草取り器具では草取り作業は時間がかかっていた。屈んだ姿勢で長時間継続して作業すると膝や腰が疲れる。草取りをする時に茎が切れて根本周辺の根が残り、すぐに芽が出る事もあった。刃先が摩耗や変形した時に、刃先だけを簡単に交換出来る草取り器具はなかった。
【先行技術文献】
【特許文献】
【０００３】
【特許文献１】
【発明の概要】
【発明が解決しようとする課題】
【０００４】これは次のような欠点あった。
（イ）従来の草取り器具では時間がかかっていた。
（ロ）草の茎の部分がちぎれる事があり、茎下から根の部分が残り草の芽が出てすぐに伸びる。
（ハ）刃先が変形摩耗しても簡単に治せない。
本発明は以上のような欠点をなくすためになされたものである。
【課題を解決するための手段】
【０００５】従来の草取り器具の形状を変更し、草取り方法を変更した。草取り器具のフレーム（１）の先端部に刃物取り付け用の溝（２）を設けて、専用の刃物（３）を設ける。またこの草取り器具を含めて先端部の四方向（上下左右）に必要な草取り器具を三種類と熊手を設ける。
本発明は以上の構成による、地中で根を引く草取り器具である。
【発明の効果】
【０００６】（イ）同じ草を何度も処理する必要がなくなった。
（ロ）草の根とその直下の土を同時に切り離せるので、草を強く引っ張らなくても集めるだけでいいので、取り除くのが容易になった。
（ハ）草の茎のちぎれがなくなるので、同じ草の芽が出なくなった。
（ニ）草取り時間が半減された。
（ホ）屈んだ姿勢を継続しないで、立ったり屈んだりの姿勢を繰り返すので、膝や腰の負担が少なくなった。
（ヘ）刃先が摩耗しても、刃物だけ交換が出来る。
【図面の簡単な説明】
【０００７】
【図１】本発明は斜視図である。
【図２】本発明の分解図である。
【図３】本発明を使用例の断面図である。図３−１  使用前地中  図３−２  使用後地中
【発明を実施するための形態】
【０００８】以下、発明を実施するための形態について説明する。
草取り器具のメインフレーム（１）の先端部に刃物取り付け溝（２）を設けて専用の刃物（３）を設ける。刃物直下に刃物保護のために軸受ボルト（４）を設ける。
右上に溝掘り用鎌（８）と左上に根きり鎌（９）を設ける。
天面には熊手（１０）を設ける。
本発明は以上の構造である。
本発明を使用する時は、１５ｃｍ以下の草取り作業に使用し、溝掘り器具（８）で深さ２ｃｍ程度、長さは草取り器具の刃物（３）幅の溝を掘り、溝部に草取り器具の刃先（３）を入れたままで押さえながら、地表面と平行に柄を引き、地中の草の根を引っ張り草の根付近の土と直下に土を分断する（図３）。地表面の切り離された草はすでに抜けているのと同じ状態なので、草だけを集める。
立って作業する場合は草の回収に器具の熊手（１０）を使用する。この器具で取れない草には根切り鎌（９）や穴掘り鎌を使用し、根の下部を切断するか引き抜く。
【符号の説明】
【０００９】１  草取り器具本体フレーム
２  刃物取り付け用溝
３  刃物
４  刃物取り付けピン
５  刃物支持棒
６  器具取り付け板１
７  器具取り付け板２
８  溝掘り鎌
９  根切り鎌
１０  熊手
１１  柄取り付け金具
１２  柄
１３  柄取り付けボルトナット使用
１４  器具取り付け板１の取り付け用のボルトナット使用
１５  器具取り付け板２の取り付け用のボルトナット使用
溝掘り器具と根切り鎌の取り付け用のボルトナット使用
ａ  使用事のスタート地点
ｂ  使用事の停止点
Ｈ  地表
【図１】
2017038585.tif 000003
【図２】
2017038585.tif 000004
【図３】
2017038585.tif 000005
(57)【要約】【課題】従来のキノコ菌床の培地基材には、主として広葉樹オガ粉が使用されているが、広葉樹の産地である中山間地域では労働力不足により、その調達が困難になってきている。また広葉樹の調達コストが高騰してきている。【解決手段】広葉樹オガ粉に代えて、竹材オガ粉及び竹材チップをキノコの培地基材に使用することにより、課題を解決した。これにより、培地基材の材料調達が安価でかつ容易にできる。キノコ製品としての品質、収量は広葉樹オガ粉によるものと同等ないしはそれ以上を確保できる。従って、キノコの製造コスト削減に寄与できる。シイタケをはじめエノキタケ、鹿角霊芝、エリンギ、シメジ等、木材腐朽菌によるキノコ栽培には広く応用できる。【特許請求の範囲】
【請求項１】
キノコの人工栽培における菌床の培地基材に竹材オガ粉及び竹材チップを使用する。
【発明の詳細な説明】
【技術分野】
【０００１】    本発明はキノコの人工栽培の分野における菌床栽培の技術に関するものである。
【背景技術】
【０００２】  従来のキノコの人工栽培における菌床の培地基材には、主として樹木のオガ粉やチップ又はコーンコブが使用されてきた。（非特許文献１参照）【０００３】  樹木のオガ粉には圧倒的に広葉樹が用いられている。【０００４】  針葉樹のオガ粉の利用に関してはキノコ菌との相性が悪く、エリンギ、シメジ等極限られたキノコに副次的に利用されているのみであり、菌床の基材にはやはり広葉樹オガ粉が最適であり、主要な基材として用いられているのが現状である。【０００５】  しかし、そのため楢、クヌギのような広葉樹オガ粉は全国的に不足しており価格も高騰  しているので、入手が困難という状況にある。【０００６】  その背景には、林業従事者の高齢化と共に今や若者の後継者がいないこと、広葉樹が生えていた便利な里山が不便な遠隔地に後退していることがあげられる。このように広葉樹オガ粉の入手が極めて困難な状況に陥っている。
【先行技術文献】
【非特許文献】
【０００７】
【非特許文献１】特許庁総務部企画調査課技術動向班の調査による「きのこの栽培方法」ｈｔｔｐ：／／ｗｗｗ．ｊｐｏ．ｇｏ．ｊｐ／ｓｈｉｒｙｏｕ／ｓ＿ｓｏｎｏｔａ／ｈｙｏｕｊｕｎ＿ｇｉｊｕｔｓｕ／ｋｉｎｏｋｏ／ｍｏｋｕｊｉ．ｈｔｍ
【発明の概要】
【発明が解決しようとする課題】
【０００８】  キノコの菌床栽培の技術的背景においては、オガ粉の原料である広葉樹は容易且つ安価な入手が困難であるので、広葉樹の代替材の開発を課題として研究した。【０００９】  過去に広葉樹オガ粉の代替材として、焼酎かすやデンプンかす等が試みられたが、一般的に普及するに至っていない。【００１０】
【００１１】  本発明では、竹材オガ粉及びチップを菌床の培地基材として使用することにより、前記課題の解決手段とした。竹材オガ粉の活用は、家畜の飼料、農業用肥料などに試みられているが、きのこ菌床の培地基材として用いられた事例はない。【００１２】  竹材のオガ粉及びチップを培地基材に使用し、従来通り栄養剤、菌糸生長剤を混和した菌床では、種菌を接種しても菌の繁殖は遅々として進まない。これは、竹材の細胞壁が広葉樹のそれに比べて極めて堅いことが原因である。【００１３】  そこで、キノコ菌が好む広葉樹オガ粉またはそれの代替材（コーンコブ、焼酎かすの乾燥粉末、デンプンかすの乾燥粉末等）を補助的に適量加えることにより、菌が早期に着床するので、菌の回りが早く、増殖を促進させることに成功した。
【発明の効果】
【００１４】  培地基材としての広葉樹オガ粉に代わる竹材オガ粉は、その入手が極めて容易かつ安価に行える。【００１５】  中山間地域の竹林は、過疎現象に伴う労働力不足により手入れが行き届かず、荒廃が進む一方で入山さえ困難な状況が見られるが、竹材の新たな活用により里山の復元に寄与できる。【００１６】  キノコの収量は、広葉樹オガ粉菌床によるものより増収の結果を得た。【００１７】  キノコの品質は、キノコの種類に合わせた基材及び栄養補助剤の配合割合、菌床の密度、水分を調整することにより、広葉樹オガ粉によるものと同等ないしはそれ以上の品質を得ることが出来る。【００１８】  竹材オガ粉製造機以外の機械及び設備は全て既存のものを使用できる。【００１９】  培地基材の調達が安価かつ容易になるので栽培コストの大幅削減に寄与できる。【００２０】  木材腐朽菌によるキノコには殆ど応用できる。シイタケ、エノキタケ、エリンギ、シメジ、鹿角霊芝が代表的な実施例である。
【発明を実施するための形態】
【００２２】  シイタケの実施例として
2017038584.tif 000002
【００２３】  エノキタケの実施例として
2017038584.tif 000003
【００２４】  エリンギの実施例として
2017038584.tif 000004
(57)【要約】      （修正有）【課題】身体に装着して仕事中でも腰痛および膝痛を予防できる膝痛および腰痛予防衣料を提供する。【解決手段】身体に装着した下着１と上着２の間にセパレータ３を入れ、下着と上着の間に液体を入れて、その浮力で体重を軽減することを特徴とする膝痛および腰痛予防衣料。また、足の先から首までが入る下着１と上着２およびセパレータ３からなる２重の衣料の間に水または他の液体４を入れ、その浮力で体重を軽減する膝痛および腰痛予防衣料。【選択図】図２
2017038901.tif 000002
【特許請求の範囲】
【請求項１】
足の先から胸までが入る下着１と上着２およびセパレータ３からなる２重の衣料の間に水または他の液体４を入れ、その浮力で体重を軽減する膝痛および腰痛予防衣料。
【請求項２】
足の先から首までが入る下着１と上着２およびセパレータ３からなる２重の衣料の間に水または他の液体４を入れ、その浮力で体重を軽減する膝痛および腰痛予防衣料。
【請求項３】
足の先から腰までが入る下着１と上着２およびセパレータ３からなる２重の衣料の間に水または他の液体４を入れ、その浮力で体重を軽減する膝痛予防ズボン。
【発明の詳細な説明】
【技術分野】
【０００１】この発明は液漏れのない素材で作った２重のズボン状の衣料の間に液体を満たし、その浮力により着用者の膝や腰にかかる体重を軽減することによって、  腰痛や膝痛を予防する衣料に関するものである。
【背景技術】
【０００２】従来は、腰痛や膝痛にかかってから、マッサージ、針きゅう、加熱、温泉、ベルト、水中ウォーキング、医師の診断を受けて飲み薬、注射、手術などの方法で治療するしかなかった。
【先行技術文献】
【特許文献】
【０００３】
【特許文献１】不明
【非特許文献】
【０００４】
【非特許文献１】なし
【発明の概要】
【発明が解決しようとする課題】
【０００５】従来の治療法には次のような欠点がある。
一旦、腰痛にかかってからの治療法には多くの方法がある。
（イ）医師の診断を受け、痛み止めの薬を飲む。貼り薬を貼る。腰痛ベルトを腰に巻く。重症の場合には、手術を受ける。これには仕事を休んで病院に行かなければならない。また費用もかかる。
（ロ）マッサージをする。これを利用するには治療院に行くか、出張治療を依頼しなければならない。また高額の施術料が必要である。さらに施術中は仕事をすることができない。
（ハ）水の浮力を利用して腰にかかる重力を軽減する「水中ウォーキング」がプールで行われている。この療法を受けるにはプールまで行かなければならない。
（ニ）予防法としては体操、ストレッチ、ヨガなどがあるが、その効果には個人差がある。またその間は仕事をすることができない。
本発明は、以上のような欠点をなくすためになされたものである。
【課題を解決するための手段】
【０００６】（イ）つま先から胸までを覆う防水性かつ伸縮性のある強靭な膜素材で作られた下着
（ロ）つま先から胸までを覆う防水性かつ伸縮性のある強靭な膜素材で作られた上着
（ハ）下着と上着が密着してその間に入れる液体が排除されないようにするためのセパレータ
（ニ）下着と上着の間に入れる水または他の液体。
（ホ）上の（イ）、（ロ）および（ハ）は別々でなくてもよい。一体になっている方が着脱の時間が短くて便利である。
（ヘ）膝痛だけを予防したい場合には、この衣料はつま先から腰までの長さでよい。
（ト）腰痛をさらに強く予防したい場合には、胸までのズボンではなく、首までの服にすれば、腹、胸、肩、腕の体重が軽くなり、腰にかかるが重力が軽減される。
（チ）体が水または他の液体に濡れても構わない場合には、下着を省略して、上着だけで良い。
（リ）セパレータとしては、水または他の液体を通す網状、スポンジ状または布状の素材が良い。
本発明は、以上の構成よりなる腰痛・膝痛予防衣料である。
【発明の効果】
【０００７】（イ）腰痛や膝痛は腰から上の腹、胸、肩、腕、頭の重量が腰や膝にかかるために発生すると考えられる。
（ロ）本発明によれば、腰から腹と胸までの体重が浮力でゼロとなるので、腰や膝への負担は肩、腕および頭だけの重さとなり大幅に軽減され、腰痛予防になると思われる。
（ハ）首まで入る下着と上着を着用すれば、頭の重さだけが腰にかかることになり、さらに大きな効果が期待できる。
（ニ）さらに腰への重力を軽減したい場合には、比重の重い液体を下着と上着の間に入れると良い。
（ホ）水よりも比重の重い液体としては飽和食塩水などがある。
【図面の簡単な説明】
【０００８】
【図１】本発明の正面図である。
【図２】本発明の正面断面図である。
【図３】本発明の側面図である。
【図４】本発明の側面断面図である。
【発明を実施するための形態】
【０００９】以下、本発明を実施するための形態について説明する。
（イ）下着１は防水性かつ伸縮性のある強靭な素材で作られている。
（ロ）下着１の外側の全面にはセパレータ３が付随している。
（ハ）下着１がずり落ちないように下着のズボンつり５が着の上端に固定されている。
（ニ）上着２は防水性かつ伸縮性のある強靭な素材で作られている。
（ホ）上着２がずり落ちないように上着のズボンつり６が上着の上端に固定されている。
（ヘ）セパレータ３は下着１と上着２が密着して水または他の液体を排除しないように網、スポンジ、布などの素材で構成されている。
（ト）下着１と上着２およびセパレータ３を一体化した場合には、下着１のズボンつり５と上着２のズボンつり６も片方で良い。
本発明は以上のような構造である。これを使用するときは、
（イ）まず通常の衣服の上に、下着１を着用する。
（ロ）この下着１と上着２の間にセパレータ３が介在する。セパレータ３は下着１と上着２のいずれかまたは両方に固定されていても良い。
（ハ）下着１がずり落ちないように下着１のズボンつり５を肩に掛ける。
（ニ）その上に上着２を着用する。
（ホ）上着２がずり落ちないように上着のズボンつり６を肩に掛ける。
（ヘ）上着と下着の間に液体４を胸まで入れると、浮力が生じて上肢、腰、腹および胸の重量が膝にかからなくなり、膝痛が予防できる。また腹および胸の重量が腰にかからなくなり、腰痛が予防できる。
（ト）下着１と上着２の間にはセパレータ３があり、下着１と上着２の間に水または他の液体４がまんべんなく行き渡るようになっている。
（チ）この水または他の液体４によって生じる浮力は下着１と上着２の間にある水または他の液体４の層の厚さには関係がない。したがって、少しの量でも同じ浮力が得られる。そのためにこの腰痛・膝痛予防衣料はあまり重たくはならないだろう。
【符号の説明】
【００１０】１：下着
２：上着
３：セパレーター
４：液体
５：下着用ズボンつり
６：上着用ズボンつり
【図１】
2017038901.tif 000003
【図２】
2017038901.tif 000004
【図３】
2017038901.tif 000005
【図４】
2017038901.tif 000006
(57)【要約】 【課題】  本発明は、部屋に置いたとき、圧迫感が少なく、デザイン性に優れた敷布団・マットレスを提供する。【解決手段】  長方形の敷布団・マットレスの４角を曲線に省き、全体を楕円形にすることで、部屋に置いたとき、圧迫感が少なく、デザイン性に優れた敷布団・マットレスができる。【選択図】  図１
2017038845.tif 000002
【特許請求の範囲】
【請求項１】
部屋に置いたとき、圧迫感が少なく、デザイン性に優れたものにするため、楕円形を特徴とする敷布団・マットレス。
【発明の詳細な説明】
【技術分野】
【０００１】
本発明は、楕円形にすることで、部屋に置いたときの圧迫感が少なく、デザイン性に優れた敷布団・マットレスに関するものである。          
【背景技術】
【０００２】
一般的な敷布団・マットレスは、長方形のため、部屋に置いたときに圧迫感がある。また、デザイン性が乏しいため、ワンルームなどに置くと、寝具としての生活感が出てしまうので、カーテンやパーテーションで隠すなど、その対応で困ることが多い。
【先行技術文献】
【特許文献】
【０００３】
【特許文献１】特開２０１１−１２５６７２号公報
【発明の概要】
【発明が解決しようとする課題】
【０００４】
多くの人が一般的な長方形の敷布団・マットレスを使用する。
しかし、一般的な敷布団・マットレスは長方形のため、部屋に置いたとき、多くの場所を取り、圧迫感がある。
また、デザイン性が乏しいため、ワンルームなどの人目に付く部屋に置くと、寝具としての生活感が出てしまうので、カーテンやパーテーションで隠すなどの、不便を感じる。
【課題を解決するための手段】
【０００５】
圧迫感が少なく、デザイン性を高くするために、楕円形の特殊な形状の敷布団・マットレスを設ける。
【発明の効果】
【０００６】
本発明によれば、以下のような効果を有する。
敷布団・マットレスを楕円形の特殊な形状にすることで、部屋に置いたとき、専有する場所が減少し、圧迫感が少なくなる。
また、デザイン性が高まるので、一般的な敷布団・マットレスのようにカーテンやパーテーションなどで隠す必要が無く、快適である。
【図面の簡単な説明】
【０００７】
【図１】本発明の実施方法を示した説明図である。（実施例１）
【図２】本発明の実施方法を示した説明図である。（実施例２）
【発明を実施するための形態】
【０００８】
以下、本発明の実施の形態を図に基づいて説明する。
【実施例１】
【０００９】
図１は、本発明の実施例１の説明図である。
（イ）中材が綿やウレタンフォームの楕円形敷布団・マットレス（１）を設ける。
【実施例２】
【００１０】
図２は、本発明の実施例２の説明図である。
（ロ）中材が綿やウレタンフォームの長方形敷布団から、（３）の部分を省き、楕円形敷布団・マットレス（２）を設ける。
【産業上の利用可能性】
【００１１】
本発明の構造は、圧迫感が少なく、デザイン性に優れた敷布団・マットレスとして、幅広く利用されるものである。
【符号の説明】
【００１２】
（１）    楕円形敷布団・マットレス
（２）    楕円形敷布団・マットレス
（３）    長方形敷布団から省く部分
【図１】
2017038845.tif 000003
【図２】
2017038845.tif 000004
(57)【要約】      （修正有）【課題】トイレットペーパーホルダーで紙をカットして使用した後に、次の人が紙を使用する時には、トイレットペーパーホルダーの蓋を上げて、いちいち紙を引き出す不便さがある。容易に紙を引き出せるトイレットペーパーホルダーの補助具を提供する。【解決手段】トイレットペーパーホルダーの紙を次の人が使用する時に、簡単に取り出せるように紙の先端が数ｃｍホルダーの先から残るように、トイレットペーパーホルダーの上蓋裏側部分に伸縮する機能のスプリングバネ、板バネ等のバネ類を取り付ける。【選択図】図１
2017038891.tif 000002
【特許請求の範囲】
【請求項１】
トイレットペーパーカットホルダーの上蓋裏側部分に伸縮する機能のスプリングバネ、板バネ等のバネ類の補助具を取り付けて、トイレットペーパーホルダーの蓋をバネで上下させ、紙の先端を数ｃｍ残して、次に使用取り出しが簡単になるように、先付けも後付けも出来る、トイレットペーパーカットホルダー補助具である。
【発明の詳細な説明】
【技術分野】
【０００１】
本発明は、既存のトイレットペーパーホルダーに、先付けも後付けも出来るように取付られるトイレットペーパーホルダー補助具であり、トイレットペーパーの紙使用が容易に取り出せるトイレットペーパーカットホルダー補助製品に関するものである。
【発明の概要】
【発明が解決しようとする課題】
【０００２】
トイレットペーパーホルダーで紙をカットして使用した後に、次の人が紙を使用する時には、トイレットペーパーホルダーの蓋を上げて、いちいち紙を引き出す不便さがある、それと新製品も既存のトイレットペーパーホルダーどちらにも製品が利用できれば便利である。
【課題を解決するための手段】
【０００３】
トイレットペーパーホルダーの紙を次の人が使用する時に、簡単に取り出せるように既存のトイレットペーパーホルダーの上蓋の裏側部分に、伸縮する機能のスプリングバネ、板バネ等のバネ類を取り付けて、トイレットペーパーの紙を切りそろえた後に紙の先端を次の人が紙をつかんで取りやすくする機能の、先取付けも後付けも出来るトイレットペーパーホルダー補助具である。
【図面の簡単な説明】
【０００４】
【図１】本発明の斜視全体図と使用状態の断面図
【図１】
2017038891.tif 000003
(57)【要約】      （修正有）【課題】耳穴から２０ｍｍの深さからの耳垢を取り除くことを容易とする。外耳道が狭い人でも使用ができるように先端部分は直径５ｍｍと４ｍｍを用い、材質が金属であるため、長期での使用を可能とする耳かきを提供する。【解決手段】全体の長さＬとし、耳かき部１は直径５ｍｍφＧと直径４ｍｍφＨ、スパイラル状の長さ２０ｍｍＳＰとし、また、耳かき部１の一端部を分離可能にすることによりプラスチックまたはシリコンゴム８で一部加工されたもち手部２との結合も可能とした。もち手部２は長さ８０ｍｍ、指の掛かる部を半径７ｍｍの円弧に切削加工し、スパイラル状の先端部の面取りは１ｍｍとした。【選択図】図１
2017038896.tif 000002
【特許請求の範囲】
【請求項１】
耳かき本体において少なくとも一端部に耳かき部を設けその耳かき部がスパイラル状の金属構造としたことを特徴とした耳かき。
【請求項２】
請求１に記載した耳かきにおいて耳かき部にボルトナットを直径５ｍｍ以下に切削加工することより外耳道の狭い人でも耳垢を容易に取り除くことができることを特徴とした耳かき。
【請求項３】
請求項１に記載した耳かき部において耳かき部はボルトナットにチタン製またはチタンコーティングを施したことを特徴とする耳かき。
【請求項４】
請求１に記載した耳かきにおいて、耳かき部の長さを２０ｍｍにすることにより多くの耳垢を取り除くことを特徴とした耳かき。
【請求項５】
請求１に記載した耳かきにおいて耳かき部ともち手部をチタン製またはチタンコーティングで施したことを特徴とする耳かき。
【請求項６】
請求１に記載した耳かきにおいて耳かき部の一端部を分離可能にことによりもち手部だけをプラスチックまたはシリコンゴムにもできることを特徴とした耳かき。
【請求項７】
請求６に記載したもち手部においてもち手部をプラスチックまたはシリコンゴムにすることにより一部または全部を加工し指の掛かる部を設けることを特徴とする耳かき。
【発明の詳細な説明】
【技術分野】    本製品は金属を用いた耳垢を取り除く為の耳かきに関するものである。
従来の先端がスパイラル形成の金属製耳かきは、先端がひら形成の耳かきに比べて比較的多くの耳垢を取り除くことができる。
【発明の概要】
【発明が解決しようとする課題】    ［しかしながら先端が金属製の耳かきは耳かき部のスパイラル状の長さが短いため一度に掻きだせる耳垢の量が少量である］
【課題を解決するための手段】    本製品は耳かき部のスパイラル状の長さを２０ｍｍにすることで上記の問題を解消する
【発明の効果】  本製品は耳かき部のスパイラル状の部分を耳穴から耳垢が発生する距離２０ｍｍにすることにより一度に多くの耳垢を掻きだすことができ、さらに耳かき部の直径を５ｍｍと４ｍｍにすることで、外耳道が狭い人でも奥まで挿入することが可能である。
【図面の簡単な説明】
【図１】本製品に係る耳かきで本製品の長さは１２０ｍｍで耳かき部ともち手部はチタン製またはチタンコーティングを施した金属で耳穴から挿入するスパイラル状の部分の長さを２０ｍｍ直径は５ｍｍと４ｍｍに切削加工した平面図である。
【図２】本製品に係る耳かきで耳かき部の一端部を分離可能にした場合にもち手部だけをプラスチックまたはシリコンゴムにし、指の掛かる部を設けた耳かき部ともち手部の平面図である。
【図３】図２における耳かき部ともち手部を接合するときのもち手部への挿し込み部ともち手部の受け部の平面図である。
【発明を実施するための形態】
本製品は図１に記載してある様に、耳かき部をチタン製またはチタンコーティングを施した金属で直径を５ｍｍ以下に切削加工を施し、スパイラル形状の部分の長さを２０ｍｍに製造する。
【実施例】    図１に示すスパイラル状の耳かき部（１）の直径を５ｍｍ（φＧ）と４ｍｍ（φＨ）長さを２０ｍｍ（ＳＰ）で全体の長さは１２０ｍｍ（Ｌ）で構成している。材質はチタン製またはチタンコーティングを施した金属（６）を使用している。先端部の面取りは１ｍｍとしている。直径を５ｍｍと４ｍｍにしたのは、外耳道が狭い人でも使用することを容易にする為である。また、耳かき部をチタン製またはチタンコーティングを施した金属にしたのは金属アレルゲンをもつ人でも使用ができるという効果をもつ。
図２に示す耳かき部の一端部を分離可能にした場合のもち手部（２）は耳かき部の直径をφＧとφＨで長さを８０ｍｍ（Ｈ）で構成している。指の掛かる部（Ｕ）は連結後を考慮し、もち手部の部分の先端部から４ｍｍ（ＳＭ）離れ部分を半径７ｍｍ（π）の円弧に切削加工している。材質はプラスチックまたはシリコンゴム（８）で射出成型している。
図３に示す耳かき部のもち手部への挿し込み部（１２）は長さ１０ｍｍ（ＳＬ）直径２ｍｍ（φＪ）に切削加工している。もち手部の受け部（２１）は長さ１０．５ｍｍ（ＡＭ）直径２．５ｍｍ（φＫ）に射出成型している。
図３に示すもち手部への差し込み部（１２）ともち手部の受け部（２１）は接合が可能であれば型はこの限りではない。
【産業上の利用可能性】    本製品は人間用に耳かきとして有用します。
【符号の説明】１    耳かき部
２    もち手部
６    金属
８    プラスチックまたはシリコンゴム
１２  もち手部への挿し込み部
２１  もち手部の受け部
Ｕ    指の掛かる部
φＧ  直径５ｍｍ
φＨ  直径４ｍｍ
φＪ  直径２ｍｍ
φＫ  直径２．５ｍｍ
Ｌ    長さ１２０ｍｍ
Ｈ    長さ８０ｍｍ
ＳＰ  長さ２０ｍｍ
ＡＭ  長さ１０．５ｍｍ
ＳＬ  長さ１０ｍｍ
ＳＭ  先端部から４ｍｍ
π    半径７ｍｍ
【図１】
2017038896.tif 000003
【図２】
2017038896.tif 000004
【図３】
2017038896.tif 000005
(57)【要約】【課題】一般的に使用されている直線棒の綿棒では、例えば、耳掃除の際に、誤って奥深くまで入れてしまって、外耳道を傷つけたり、鼓膜を傷つけたり、細菌を鼓膜まで運んでしまう危険性がある。  本発明は、誤って耳鼻の穴の奥深くまで進入してしまう危険性を抑制し、安全に穴の入り口の周りの垢等や分泌物を容易に取り除くＳ字型綿棒を提供する。【解決手段】Ｓ字型綿棒本体の中央に設けた軸の部分を水平にして、左右の綿球を上下方向に均等に、平行にし、左右両端の綿球をＳ字に曲げを設ける。【選択図】図１
2017176794.tif 000002
【特許請求の範囲】
【請求項１】
Ｓ字型綿棒本体の中央に設けた軸の部分を水平にして、左右の綿球を上下方向に均等に平行にし、左右両端の綿球をＳ字に曲げを設けたＳ字型綿棒。
【発明の詳細な説明】
【技術分野】
【０００１】  本発明は、耳や鼻等の掃除用の綿棒に関するものである。
【背景技術】
【０００２】  従来、耳や鼻等の掃除用の綿棒は、その形状は、一本の直線棒である。
なお、綿棒の軸の中心部分を、Ｕ字型に曲げ、綿体部分を合わせ、立体構造の綿棒（特許文献１参照）や、視界を妨げないよう、柄を曲げた耳掻き（特許文献２参照）が、知られている。
【先行技術文献】
【特許文献】
【０００３】
【特許文献１】実用新案登録第３１３９８６６号
【特許文献２】実用新案登録第３０８６７２６号
【発明の概要】
【発明が解決しようとする課題】
【０００４】  一般的に使用される直線棒の綿棒では、例えば、耳掃除の際に、誤って奥深くまで綿棒を入れてしまって、外耳道を傷つけたり、鼓膜を傷つけたり、細菌を鼓膜まで運んでしまう危険性がある。
本発明は、以上の問題点を解決するためになされたものである。
【課題を解決するための手段】
【０００５】  Ｓ字型綿棒本体の中央に設けた軸の部分を水平にして、左右の綿球を上下方向に均等に、平行にし、左右両端の綿球をＳ字に曲げを設ける。
以上の構成によりなるＳ字型綿棒。
【発明の効果】
【０００６】  従来、誤って耳鼻の穴の奥深くまで進入してしまう危険性を抑制し、安全に穴の入り口の周り全体に、綿球がまんべんなく接触し、垢等や分泌物を容易に取り除く事が可能であり、乳幼児、身体障がい者、高齢者への介助時にも利便性が良い。
【図面の簡単な説明】
【０００７】
【図１】本発明の正面図
【図２】本発明の側面図
【図３】本発明の平面図
【図４】本発明の使用状態を示す斜視図
【発明を実施するための形態】
【０００８】  以下、本発明の実施の形態を説明する。
（イ）Ｓ字型綿棒本体（１）の中央に設けた軸（３）を水平にして、綿球（２）の先端か      ら、２０ｍｍ程の軸（３）の部分を、角度４５度程、上方向に曲げ部（４）を設け      る。
（ロ）Ｓ字型綿棒本体（１）の中央に設けた軸（３）を水平にして、綿球（２）の先端か      ら、２０ｍｍ程の軸（３）の部分を、角度４５度程、下方向に曲げ部（５）を設け      る。
（ハ）両端に設けた曲げ部（４）と曲げ部（５）の角度、長さは等しく、平行に設ける。
本発明は、以上のような構造である。
本発明を使用するときは、Ｓ字型綿棒本体（１）の軸（３）部分を手で持ち、綿球（２）を耳や鼻の穴の入り口に進入させ、手で持った軸（３）部分を、回転させる事によって、穴の入り口の周り全体に綿球（２）が、まんべんなく接触し、垢等や分泌物等を容易に取り除ける。
もしくは、軸（３）部分を手で持ち、反対側の綿球（２）を耳や鼻の入り口に進入させ、手で持った軸（３）部分を、回転させる事によって、穴の入り口の周り全体に綿球（２）が、まんべんなく接触し、垢等や分泌物を容易に取り除ける。
軸（３）から、角度４５度程の曲げを設けている曲げ部（４）と曲げ部（５）のため、綿球（２）（２）を、耳や鼻等の穴へ進入させる際は、斜めに傾いた向きで進入するので、誤っての奥深くへの進入を抑制する。
【符号の説明】
【０００９】  １  Ｓ字型綿棒本体、２  綿球、３  軸、４  曲げ部、５  曲げ部
【図１】
2017176794.tif 000003
【図２】
2017176794.tif 000004
【図３】
2017176794.tif 000005
【図４】
2017176794.tif 000006
(57)【要約】      （修正有）【課題】健康のバロメイターの排泄物を、いつでも便器に座ったままで、便器の外側から確認出来る便座を提供する。【解決手段】洋式大便器（ニ）に付いている便座本体（ロ）に、洋式大便器（ニ）の外側から便器内側の排泄物が見えて確認出来るカメラレンズ（ハ）を取り付ける。より好ましくは、カメラレンズ（ハ）は、便座本体（ロ）の前側又は後側に取り付ける。【選択図】図１
2017176791.tif 000002
【特許請求の範囲】
【請求項１】
洋式大便器に付いている便座で、大便器の外側から便器内側の排泄物が見えて確認出来るカメラレンズが付いている健康見張り便座。
【請求項２】
洋式大便器に付いている便座で、大便器の外側から便器内側の排泄物が見えて確認出来るカメラレンズは、前側又は後側にも付ける事が出来る請求項１に記載の健康見張り便座。
【請求項３】
洋式大便器に付いている便座で、大便器の外側から、便器内側の排泄物が見えて確認出来るカメラレンズが付いている便座で、居ながらにしてカメラレンズのモニターが外部のモニター画面に映し出して視ることが出来る請求項１及び２に記載の健康見張り便座。
【請求項４】
洋式大便器に付いている便座で、大便器の外側から便器内側の排泄物が見えて確認出来るカメラレンズが付いている便座で、居ながらにしてカメラレンズのモニターが外部のモニター画面に映し出して視ることが出来るが、便器内は暗い為、ライトを図１のハの脇の所に付けてはっきり写し出す請求項３に記載の健康見張り便座。
【請求項５】
洋式大便器に付いている便座で、大便器の外側から、便器内側の排泄物が見えて確認出来るカメラレンズが付いている便座で、居ながらにしてカメラレンズのモニターが外部のモニター画面に映し出して視ることが出来る便座は、大便器より便座部分を取り外すことが出来る請求項３に記載の健康見張り便座。
【発明の詳細な説明】
【技術分野】
【０００１】  本発明は、トイレの大便器に付いている便座に関するものである。
【背景技術】
【０００２】  便器の便座に座りながら、排泄物を見ることが出来る技術。
【先行技術文献】
【特許文献】
【０００３】
【特許文献１】特許第４９７４３９５号
【特許文献２】特開２００８−２８５９７８
【発明の概要】
【発明が解決しようとする課題】
【０００４】今日の大便器の便座には、多種多様の機能が付いている。しかし、自身の排泄物を確認すること無く流している。何故か、それは、見にくいからである。
【課題を解決するための手段】
【０００５】  本発明は、  洋式大便器の便座に座ったままで、大便器の外側から、便器内側の排泄物が、見えて確認出来るモニターが、付いている便座である。これにより、便座に座りながら、排泄物を見ることが出来る観察モニターを外部に取り付けて、自身の排泄物を便座の外部からモニターを見ることにより、確認出来る。
【発明の効果】
【０００６】  昔から、人は自身の排泄物からでも、健康状態を把握してきた。
本発明の健康見張り便座によって、排泄物による自身の健康状態が容易に確認できる、効果がある。
【図面の簡単な説明】
【０００７】
【図１】健康見張りカメラレンズ付き便座の、断面図である。
【発明を実施するための形態】
【０００８】  トイレの通常の便座に変わり、本発明のカメラレンズ付き便座を使用する。
【実施例】
【０００９】  図１に基づき本発明の実施例を明記する。
本実施例の便器の便座は、洋式大便器の便座に座ったままで、大便器の外部から、便器内側の排泄物が、便座に座る状態で見える様、便座の前側又は後側にカメラレンズを付けた状態。
【産業上の利用可能性】
【００１０】  特に、病院などの利用が増える。
【符号の説明】
【００１１】  イ  便座蓋
ロ  便座本体
ハ  カメラレンズ
二  便器
【図１】
2017176791.tif 000003
(57)【要約】      （修正有）【課題】目薬が眼から零れ落ちない点眼薬容器を提供する。【解決手段】点眼薬容器１自体の先端口の外側に、眼の周りに向かってスライドする器具４を取り付けそして、この器具は、スライドした先端が眼の周りの位置に着地し固定された後、この点眼薬容器自体をつまむなど操作して、眼に所定量の点眼薬を点す事で。又もうひとつは、スライド等しないで最初から、点眼薬容器自体の先端口の外側に、眼の周りの位置に設置が出来るようにされた逆円錐形状の器具を取り付け、この器具が眼の周りの位置に定まった後、この点眼薬容器自体をつまむなど操作して、眼に所定量の点眼薬を点しこれらの課題は、解決されます。【選択図】図１
2017176795.tif 000002
【特許請求の範囲】
【請求項１】
（イ）点眼薬容器自体の先端口の外側に、眼の周りに向かってスライド（ジャバラ等）する器具を取り付けそして、この器具は、スライドした先端が点眼する眼に支障をきたさない大きさの仕様とし、この器具が眼の周りの位置に着地し固定された後、この点眼薬容器自体をつまむなど操作して、眼に所定量の点眼薬を点した時に、眼から目薬がこぼれない仕様とされた点眼器である。
（ロ）点眼薬容器自体の先端口の外側に、眼の周りの位置に設置が出来るようにされた逆円錐形状（先端は眼に支障をきたさない楕円形の大きさ）の器具を取り付け、この器具が眼の周りの位置に定まった後、この点眼薬容器自体をつまむなど操作して、眼に所定量の点眼薬を点した時に、眼から目薬がこぼれない仕様とされた点眼器である。
（ハ）特許請求の（イ）（ロ）にて、点眼薬容器自体の先端口の外側に使用する器具と点眼薬容器自体のキャップの大きさ、材質、色彩、構造仕様については、限定されない、目薬がこぼれない仕様とされた点眼器である。
（ニ）特許請求の（イ）（ロ）にて、使用する点眼薬注入器具については、大きさ、長さ、形状、方式等については、限定されない、目薬がこぼれない仕様とされた点眼器である。
（ホ）点眼薬投入使用後は、点眼薬容器自体の中の点眼薬器具と、スライドする器具又逆円錐形状器具は、取り外しも簡単に出来る構造としますが、この仕様構造については、限定されない。目薬がこぼれない仕様とされた点眼器である。
【発明の詳細な説明】
【技術分野】
【０００１】この発明は、既存の目薬容器等の様に、眼に目薬を点す場合頭をいちいち上部に向けて首を倒して、点眼薬の容器をつまんで、眼に点していましたが、頭を上部に向けること無く、目薬容器を手に取り水平に注入できるように、そして水平に目薬を点しても、目薬が殆どこぼれないように、する為の技術分野であります。
【背景技術】
【０００２】眼に目薬を点す場合頭をいちいち上部に向けて首を倒し、そして料眼を出来るだけ水平に保ちながら、眼に向かって目薬容器をつまんで、眼に点しておりました。しかしこれでも何割かの目薬が目から零れ落ちてきて、その度にハンカチ、チィシュ等で拭き取ってきました。高齢者に成るほど目薬が眼から零れ落ちる割合は、大きくなってきます。しかしこれに対しては、点眼薬容器自体は千差万別数多くありました。
【発明が解決しようとする課題】
【０００３】これは次のような欠点があった。
例えば、既存の点眼薬容器は、形状、容器の大小はありますが、容器から目に垂らすスポイト状の形状は、全て同じであります。そして、点眼薬注入する場合頭をいちいち上部に向けて首を倒し、そして両眼を出来るだけ水平に保ちながら、このスポイト状の器具先端を限り無く、眼に近づけて、点眼薬容器をつまんで眼に適量を垂らして使用しておりました。この方式の場合スポイト状の器具先端が眼に着地して無く空中に浮いた不安定な状態の為、更に鏡等も見て点すことも不可能です。それこそ目検討で目薬を点しておりました。そして最後に点した眼を水平から垂直に戻す為必ず何割かの目薬が目から零れ落ちてきて、その度にハンカチ、チィシュ等で拭き取ってきました。又高齢者等々の方は、第三者に依頼して、お手を煩わしてきました。目薬が眼から零れ落ちない様に、且つ例え高齢者の方でも一人で点眼薬が点すことが解決の課題です。
【課題を解決する為の手段】
【０００４】目薬が眼から零れ落ちない様に、且つ例え高齢者の方でも一人で点眼薬が点すこと又点眼薬の節約の為に、点眼薬容器自体の先端口の外側に、眼の周りに向かってスライドする器具を取り付けそして、この器具は、スライドした先端が眼の周りの位置に着地し固定された後、この点眼薬容器自体をつまむなど操作して、眼に所定量の点眼薬を点す事で。又もうひとつは、スライド等しないで最初から、点眼薬容器自体の先端口の外側に、眼の周りの位置に設置が出来るようにされた逆円錐形状の器具を取り付け、この器具が眼の周りの位置に定まった後、この点眼薬容器自体をつまむなど操作して、眼に所定量の点眼薬を点しこれらの課題は、解決されます。
【発明の効果】
【０００５】これによって、点眼薬を点す場合頭をいちいち上部に向けて首を倒すこと無く、目薬容器を手に取り水平に注入できるように、そして水平に目薬を点しても、目薬が殆どこぼれないように、高齢者の方でも一人で確実に点眼薬を点すことが出来るようになり又点眼薬がこぼれないから節約と同時にハンカチ、チィシュ等で拭き取るような手間もかからなくなり面倒くさくなくて、経費も掛からなくて済むようになった。
【発明を実地する為の最良の形態】
【０００６】以下。本発明を実地する為の最良の形態について説明する。
眼に点眼薬を点す場合に、点眼薬容器の先端の外側器具を直進スライドさせて、この器具の先端が眼の周りに着地した時に、点眼薬注入の器具から点眼薬容器自体を操作する事で目的は達成されます。又は、眼の周りの位置に設置が出来るようにされた台形状の器具を取り付け、この器具が眼の周りの位置に定まった後、この点眼薬容器自体を操作する事で目的は達成されます。
この時、点眼薬注入された眼を数回まばたきする事により、確実に眼に点眼薬が注入され点眼薬が眼の中に入って、外にあふれ出して無いことを確認してから、スライド器具及び台形状の器具を眼から離す事が重要である。又使用後は、スライドする器具及び台形状の器具は点眼薬容器に納めキャップする事で、そしてこれらの器具は、取り外し出来るような仕様とする事で、衛生上も守られて常に清潔に使用できます。これが最良の形態である。
【図面の簡単な説明】
【０００７】
【図１】本発明の平面図と立面図、側面図である。
【図２】本発明のあいそめ図である。
【符号の説明】
【０００８】１    点眼薬容器
２    眼の周りに設置される器具
３    外側に取り付ける固定（逆円錐形状）器具
４    外側に取り付けるスライド器具（ジャバラ等）
５    点眼薬容器の点眼薬注入器具
６    眼薬スポイト
７    キャップ
８    点眼薬
【図１】
2017176795.tif 000003
【図２】
2017176795.tif 000004